(57)【要約】【課題】集合住宅、オフィス、シアターおよび移動体等の周囲の騒音を吸収する。【解決手段】本発明における吸音構造は、鉄筋コンクリートから成る集合住宅の床面１上に載置されるシート状の低周波吸音材２ａと、低周波吸音材２ａの上面に低周波吸音材２ａと平行に配置される板状の補強層３と、補強層３の上面に載置され音を透過する性質を有するシート４とを備えている。  補強層３は、例えば多数の開口を有する金属製の板状体で構成され、シート４は、例えばファブリック製のカーペットで構成されている。  低周波吸音材２ａは、１００Ｈｚ乃至２００Ｈｚの低周波領域において優れた吸音特性を発揮する材料、例えば補強層３の下面側に配置される第１の多孔質体層２１と、第１の多孔質体層２１の下面側に積層される発泡体層２２と、発泡体層２２の下面側に積層される第２の多孔質体層２３とを備えている。  【選択図】図１
2007133245.tif 000002
【特許請求の範囲】
【請求項１】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される多孔質体層と、前記多孔質体層の下面側に積層される発泡体層と、前記発泡体層の下面側に積層される他の多孔質体層とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項２】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される多孔質体層と、前記多孔質体層の下面側に積層される発泡体層と、前記発泡体層の下面側に積層され、空気層を介して前記床面と平行に配置される他の多孔質体層とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項３】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される発泡体層と、前記発泡体層の下面側に積層される他の多孔質体層と、前記発泡体層の上面側に形成され、それ自身の上面側に多数個の孔が設けられている被膜面とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項４】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される発泡体層と、前記発泡体層の下面側に積層され、空気層を介して前記床面と平行に配置される他の多孔質体層と、前記発泡体層の上面側に形成され、それ自身の上面側に多数個の孔が設けられている被膜面とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項５】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される発泡体層と、前記発泡体層の下面側に積層される他の多孔質体層と、前記発泡体層の上面側に接着される被膜層とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項６】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される発泡体層と、前記発泡体層の下面側に積層され、空気層を介して前記床面と平行に配置される他の多孔質体層と、前記発泡体層の上面側に接着される被膜層とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項７】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される発泡体層と、前記発泡体層の下面側に積層される他の多孔質体層と、前記発泡体層の上面側に当接される被膜層とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項８】
床面上に載置されるシート状の低周波吸音材と、前記低周波吸音材の上面に前記低周波吸音材と平行に配置される板状の補強層と、前記補強層の上面に載置される音を透過する性質を有するシートとを備え、
前記低周波吸音材は、前記補強層の下面側に配置される発泡体層と、前記発泡体層の下面側に積層され、空気層を介して前記床面と平行に配置される他の多孔質体層と、前記発泡体層の上面側に当接される被膜層とを備え、
前記発泡体層は、分子量５００〜５０００の第１のジオール、分子量５００以下の第２のジオール、無機充填材、発泡剤としての水、およびイソシアネートの各成分を原料成分とすることを特徴とする吸音構造。
【請求項９】
前記補強層は、前記低周波吸音材を保護し、かつ音を透過させる性質を有する板状体から成ることを特徴とする請求項１乃至請求項８何れか１項記載の吸音構造。
【請求項１０】
前記補強層は、多数の開口を有する金属製の板状体から成ることを特徴とする請求項１乃至請求項８何れか１項記載の吸音構造。
【請求項１１】
前記補強層は、パンチングメタルまたはエキスパンドメタルから成ることを特徴とする請求項１乃至請求項８何れか１項記載の吸音構造。
【請求項１２】
前記板状体の開口率は、４０〜７０％であることを特徴とする請求項１０記載の吸音構造。
【請求項１３】
前記発泡体の密度は、５０〜５００ｋｇ／ｍ３であることを特徴とする請求項1乃至請求項１２のいずれか１項記載の吸音材。
【請求項１４】
前記第１のジオールに含まれる水酸基含量と、前記第２のジオールに含まれる水酸基含量の比は、１：０．３〜２．５であることを特徴とする請求項1乃至請求項１３のいずれか１項記載の吸音材。
【請求項１５】
前記無機充填材の含量は、前記第１のジオール１００重量部に対して１０〜２００重量部であることを特徴とする請求項1乃至請求項１４のいずれか１項記載の吸音材。
【請求項１６】
前記発泡剤としての水の含量は、前記第１のジオール１００重量部に対して２〜５重量部であることを特徴とする請求項1乃至請求項１５のいずれか１項記載の吸音材。
【請求項１７】
前記第１、第２のジオール、および発泡剤としての水の水酸基含量の合計と、前記イソシアネートのイソシアネート含量との比であるイソシアネートインデックス（ＮＣＯ／ＯＨ）は、０．５〜１．０の範囲にあることを特徴とする請求項1乃至請求項１６のいずれか１項記載の吸音材。
【請求項１８】
前記イソシアネートインデックスは、０．６〜０．９の範囲にあることを特徴とする請求項1乃至請求項１７のいずれか１項記載の吸音材。
【請求項１９】
前記第１のジオールは、ポリエステルポリオール、ポリエーテルポリオール、ポリブタジエンポリオール、ポリイソプレンポリオール、ポリオレフィンポリオール、ポリアクリル酸エステル系ポリオール、ポリカーボネート系ポリオールのうちから選択されたいずれかのジオールであることを特徴とする請求項1乃至請求項１８のいずれか１項記載の吸音材。
【請求項２０】
前記第２のジオールは、エチレングリコール、プロピレングリコール、ブタンジオール、ヘキサンジオール、オクタンジオール、デカンジオール等の脂肪族系若しくはＮ，Ｎ−ビス（２−ヒドロキシプロピル）アニリン等の芳香族系のうちから選択されたいずれかのジオールであることを特徴とする請求項1乃至請求項１９のいずれか１項記載の吸音材。
【請求項２１】
前記無機充填材は、カーボンブラック、シリカ、炭酸カルシウム、マイカ、タルク、酸化マグネシウム、酸化アルミニウム、水酸化マグネシウム、水酸化アルミニウムのうちから選択されたいずれかの無機充填剤であることを特徴とする請求項1乃至請求項２０のいずれか１項記載の吸音材。
【請求項２２】
前記イソシアネートは、２，４−トリレンジイソシアネート、２，６−トリレンジイソシアネート、４，４’ジフェニルメタンジイソシアネート、カルボジイミド変性ジフェニルメタンジイソシアネート、粗製トリレンジイソシアネート、粗製ジフェニルメタンジイソシアネート、ｐ−フェニレンジイソシアネート、ｐ−キシレンジイソシアネート、テトラメチレン−１，４−ジイソシアネートのうちから選択されたいずれかのイソシアネートであることを特徴とする請求項1乃至請求項２１のいずれか１項記載の吸音材。
【請求項２３】
前記多孔質体層は、粗毛フェルト、植物繊維系フェルト、動物繊維系フェルト、合成繊維系フェルトのいずれか、またはこれらの混合物からなることを特徴とする請求項1乃至請求項２２のいずれか１項記載の吸音材。
【発明の詳細な説明】
【技術分野】
【０００１】
本発明は、吸音構造に係り、特に、集合住宅、オフィス、シアターおよび移動体等の周囲の騒音を吸収することができる吸音構造に関する。
【背景技術】
【０００２】
従来から、この種の吸音材として、（ａ）グラスウールやロックウール等から成る多孔質体層を使用するもの、（ｂ）吸音材の前面側に空気層を設けて成るもの、（ｃ）通気度が５〜１００倍異なる高密度と低密度の繊維集合体を少なくとも２層以上積層して成るものなどが知られている（例えば、特許文献１参照）。
【０００３】
しかしながら、（ａ）の吸音材においては、１００Ｈｚ以下の低周波領域の騒音を効果的に吸収するためには、多孔質体層の肉厚を厚くする必要があるところ、多孔質体層の肉厚を厚くすると、吸音材の重量が全体的に重くなるという難点があった。また、（ｂ）の吸音材においては、吸音材の前面側に空気層が存在するため、吸音材の重量が重くなり、また、スペースを広くとらなければならないという難点があった。
【０００４】
一方、（ｃ）の吸音材は、空気の粘性抵抗を利用し、音波のエネルギーを熱エネルギーに変換して吸音する多孔質吸音構造体に、さらに密度が異なる繊維集合体を積層することで、高密度部分が付加質量、低密度部分がバネの役割を担う、いわゆる動吸振機を構成させて特に低周波領域の吸音率を向上させるものであるが、このような構成の吸音材においては、特に１００Ｈｚ以下の低周波領域においては、十分な吸音効果が得られないという難点があった。また、低周波領域の音や振動は空気伝搬音だけではなく、建物や窓のがたつきなども発生するため、固体伝搬音および振動防止に対する対策を同時に行う必要があり、従来の吸音材ではその対策が困難であった。
【０００５】
このため、本出願人は、先に、空気の粘性抵抗を利用し、音波のエネルギーを熱エネルギーに変換して吸音する多孔質吸音構造体に、さらに密度が異なる繊維集合体を積層した吸音材を開発し、出願している（例えば、特許文献２参照）。
【０００６】
この吸音材は、前面側に配置される発泡体層と、この発泡体層の背面側に積層される多孔質体層とを備えており、発泡体層は、分子量５００〜５０００の第１のジオール、分子量５００以下の第２のジオール、無機充填材、発泡剤としての水、およびイソシアネートの各成分を含有する発泡体で形成され、また、多孔質体層は、汎用のグラスウールで形成されている。
【０００７】
このような構成の吸音材によれば、高密度部分が付加質量、低密度部分がバネの役割を担う、いわゆる動吸振機を構成させて、特に低周波数帯域の吸音率を向上させることができるものの、次のような難点があった。
【０００８】
第１に、多孔質体層を構成するグラスウールは、１００Ｈｚ以下の低周波領域では吸音効果が弱くなるという難点がある。
【０００９】
第２に、発泡体層と多孔質体層とが一体成型され、この一体成型に際して発泡体層の前面側に表面皮膜が形成されるため、製品の自由度を向上させることができないという難点があった。すなわち、発泡体層と多孔質体層との一体成形の際に表面皮膜が同時に形成されるため、所要の吸音特性を発揮させるためには、発泡体層の前面側や多孔質体層の背面側を変更しなければならないという難点があった。
【００１０】
第３に、鉄筋コンクリートから成る集合住宅等において、騒音源が存在する居室（以下「第１の居室」という。）から、第１の居室と同一階の居室でかつ第１の居室に隣接する居室（以下「第２の居室」という。）への騒音を防止するには、例えば第１の居室の壁体や天井にパネル状に形成した吸音材を全面に亘って設置する必要があるところ、このような吸音構造では吸音材の設置作業に長時間を要し、また、コスト的にも割高になるという難点があった。
【００１１】
【特許文献１】特開平８−１５２８９０号公報
【特許文献２】特開２００３−３１６３６４号公報
【発明の開示】
【発明が解決しようとする課題】
【００１２】
本発明は、集合住宅、オフィス、シアターおよび移動体等の周囲の低周波領域の騒音を効果的に吸収し、また、製品形態の自由度を向上させることができる吸音構造を提供することを目的としている。
【課題を解決するための手段】
【００１３】
本発明の第１の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される多孔質体層と、多孔質体層の下面側に積層される発泡体層と、発泡体層の下面側に積層される他の多孔質体層とを備え、発泡体層は、分子量５００〜５０００の第１のジオール、分子量５００以下の第２のジオール、無機充填材、発泡剤としての水、およびイソシアネートの各成分を原料成分とするものである。
【００１４】
本発明の第２の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される多孔質体層と、多孔質体層の下面側に積層される発泡体層と、発泡体層の下面側に積層され、空気層を介して床面と平行に配置される他の多孔質体層とを備え、発泡体層は、分子量５００〜５０００の第１のジオール、分子量５００以下の第２のジオール、無機充填材、発泡剤としての水、およびイソシアネートの各成分を原料成分とするものである。
【００１５】
本発明の第３の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される発泡体層と、発泡体層の下面側に積層される他の多孔質体層と、発泡体層の上面側に形成され、それ自身の上面側に多数個の孔が設けられている被膜面とを備え、発泡体層は、分子量５００〜５０００の第１のジオール、分子量５００以下の第２のジオール、無機充填材、発泡剤としての水、およびイソシアネートの各成分を原料成分とするものである。
【００１６】
本発明の第４の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される発泡体層と、発泡体層の下面側に積層され、空気層を介して床面と平行に配置される他の多孔質体層と、発泡体層の上面側に形成され、それ自身の上面側に多数個の孔が設けられている被膜面とを備え、発泡体層は、分子量５００〜５０００の第１のジオール、分子量５００以下の第２のジオール、無機充填材、発泡剤としての水、およびイソシアネートの各成分を原料成分とするものである。
【００１７】
本発明の第５の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される発泡体層と、発泡体層の下面側に積層される他の多孔質体層と、発泡体層の上面側に接着される被膜層とを備え、発泡体層は、分子量５００〜５０００の第１のジオール、分子量５００以下の第２のジオール、無機充填材、発泡剤としての水、およびイソシアネートの各成分を原料成分とするものである。
【００１８】
本発明の第６の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される発泡体層と、発泡体層の下面側に積層され、空気層を介して床面と平行に配置される他の多孔質体層と、発泡体層の上面側に接着される被膜層とを備え、発泡体層は、分子量５００〜５０００の第１のジオール、分子量５００以下の第２のジオール、無機充填材、発泡剤としての水、およびイソシアネートの各成分を原料成分とするものである。
【００１９】
本発明の第７の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される発泡体層と、発泡体層の下面側に積層される他の多孔質体層と、発泡体層の上面側に当接される被膜層とを備え、発泡体層は、分子量５００〜５０００の第１のジオール、分子量５００以下の第２のジオール、無機充填材、発泡剤としての水、およびイソシアネートの各成分を原料成分とするものである。
【００２０】
本発明の第８の態様である吸音構造は、床面上に載置されるシート状の低周波吸音材と、低周波吸音材の上面に低周波吸音材と平行に配置される板状の補強層と、補強層の上面に載置される音を透過する性質を有するシートとを備え、低周波吸音材は、補強層の下面側に配置される発泡体層と、発泡体層の下面側に積層され、空気層を介して床面と平行に配置される他の多孔質体層と、発泡体層の上面側に当接される被膜層とを備え、発泡体層は、分子量５００〜５０００の第１のジオール、分子量５００以下の第２のジオール、無機充填材、発泡剤としての水、およびイソシアネートの各成分を原料成分とするものである。
【００２１】
本発明の第９態様は、第１の態様乃至第８の態様の何れかの態様である吸音構造において、補強層は、低周波吸音材を保護し、かつ音を透過させる性質を有する板状体から成るものである。
【００２２】
本発明の第１０の態様は、第１の態様乃至第８の態様の何れかの態様である吸音構造において、補強層は、多数の開口を有する金属製の板状体から成るものである。
【００２３】
本発明の第１１の態様は、第１の態様乃至第８の態様の何れかの態様である吸音構造において、補強層は、パンチングメタルまたはエキスパンドメタルから成るものである。
【００２４】
本発明の第１２の態様は、第１０の態様である吸音構造において、板状体の開口率は、４０〜７０％とされているものである。
【００２５】
本発明の第１３の態様は、第１の態様乃至第１２の態様の何れかの態様である吸音構造において、発泡体の密度は、５０〜５００ｋｇ／ｍ３とされているものである。
【００２６】
本発明の第１４の態様は、第１の態様乃至第１３の態様の何れかの態様である吸音構造において、第１のジオールに含まれる水酸基含量と、第２のジオールに含まれる水酸基含量の比は、１：０．３〜２．５とされているものである。
【００２７】
本発明の第１５の態様は、第１の態様乃至第１４の態様の何れかの態様である吸音構造において、無機充填材の含量は、第１のジオール１００重量部に対して１０〜２００重量部とされているものである。
【００２８】
本発明の第１６の態様は、第１の態様乃至第１５の態様の何れかの態様である吸音構造において、発泡剤としての水の含量は、第１のジオール１００重量部に対して２〜５重量部とされているものである。
【００２９】
本発明の第１７の態様は、第１の態様乃至第１６の態様の何れかの態様である吸音構造において、第１、第２のジオール、および発泡剤としての水の水酸基含量の合計と、イソシアネートのイソシアネート含量との比であるイソシアネートインデックス（ＮＣＯ／ＯＨ）は、０．５〜１．０の範囲にあるものである。
【００３０】
本発明の第１８の態様は、第１の態様乃至第１７の態様の何れかの態様である吸音構造において、イソシアネートインデックスは、０．６〜０．９の範囲にあるものである。
【００３１】
本発明の第１９の態様は、第１の態様乃至第１８の態様の何れかの態様である吸音構造において、第１のジオールは、ポリエステルポリオール、ポリエーテルポリオール、ポリブタジエンポリオール、ポリイソプレンポリオール、ポリオレフィンポリオール、ポリアクリル酸エステル系ポリオール、ポリカーボネート系ポリオールのうちから選択されたいずれかのジオールから成るものである。
【００３２】
本発明の第２０の態様は、第１の態様乃至第１９の態様の何れかの態様である吸音構造において、第２のジオールは、エチレングリコール、プロピレングリコール、ブタンジオール、ヘキサンジオール、オクタンジオール、デカンジオール等の脂肪族系若しくはＮ，Ｎ−ビス（２−ヒドロキシプロピル）アニリン等の芳香族系のうちから選択されたいずれかのジオールから成るものである。
【００３３】
本発明の第２１の態様は、第１の態様乃至第２０の態様の何れかの態様である吸音構造において、無機充填材は、カーボンブラック、シリカ、炭酸カルシウム、マイカ、タルク、酸化マグネシウム、酸化アルミニウム、水酸化マグネシウム、水酸化アルミニウムのうちから選択されたいずれかの無機充填剤から成るものである。
【００３４】
本発明の第２２の態様は、第１の態様乃至第２１の態様の何れかの態様である吸音構造において、イソシアネートは、２，４−トリレンジイソシアネート、２，６−トリレンジイソシアネート、４，４’ジフェニルメタンジイソシアネート、カルボジイミド変性ジフェニルメタンジイソシアネート、粗製トリレンジイソシアネート、粗製ジフェニルメタンジイソシアネート、ｐ−フェニレンジイソシアネート、ｐ−キシレンジイソシアネート、テトラメチレン−１，４−ジイソシアネートのうちから選択されたいずれかのイソシアネートから成るものである。
【００３５】
本発明の第２３の態様は、第１の態様乃至第２２の態様の何れかの態様である吸音構造において、多孔質体層は、粗毛フェルト、植物繊維系フェルト、動物繊維系フェルト、合成繊維系フェルトのいずれか、またはこれらの混合物からなるものである。
【発明の効果】
【００３６】
本発明の第１の態様乃至第２３の態様の吸音構造によれば、次のような効果がある。
【００３７】
第１に、２００Ｈｚ程度以下の低周波領域の騒音源が存在する居室（第１の居室）の床面に低周波吸音材を配置することで、当該第１の居室内における騒音を効果的に吸収することができる。従って、本発明の吸音構造によれば、従来のように、第１の居室の壁体や天井に低周波吸音材を配設しなくても、第１の居室からの第２の居室（第１の居室と同一階の居室でかつ第１の居室に隣接する居室）への騒音を効果的に防止することができる。
【００３８】
第２に、床面上に配置する低周波吸音材の仕様を変えることで、騒音源の周波数特性に応じた吸音を行なうことができる。
【００３９】
第３に、低周波吸音材を構成する多孔質体層をガラスウールで形成した場合には、当該ガラスウールが断熱材としての機能を有することから、高断熱・高遮音住宅という付加価値の高い住宅を提供することができる。
【００４０】
第４に、エレベータや自動車等の移動体の床面に低周波吸音材を配置することで、移動体の周囲の騒音（エレベータ内部の反響音や自動車内部の騒音）を効果的に吸収することができる。
【００４１】
第５に、低周波吸音材の上面側に補強材が設けられているので、集合住宅、オフィス、若しくはシアター等の床面に適用しても、低周波吸音材の損傷を防止することができる。
【００４２】
第６に、低周波吸音材の表面皮膜に針状部材で孔等を設けることにより、発泡体層の通気性が向上し、より一層低周波領域の吸音特性を向上させることができる。
【００４３】
第７に、発泡体層の片側に、別体で形成された被膜層を接着・当接させることにより、製品形態の自由度を向上させることができる。
【発明を実施するための最良の形態】
【００４４】
以下、本発明の吸音構造を適用した好ましい実施の形態例について、図面を参照して説明する。
［第１の実施の形態］
図１は、本発明の吸音構造を鉄筋コンクリートから成る集合住宅の床面に適用した一実施例を示す断面図である。
【００４５】
同図において、本発明における吸音構造は、鉄筋コンクリートから成る集合住宅の床面１上に載置されるシート状の低周波吸音材２ａと、低周波吸音材２ａの上面に低周波吸音材２ａと平行に配置される板状の補強層３と、補強層３の上面に載置され音を透過する性質を有するシート４とを備えている。
【００４６】
補強層３は、後述する低周波吸音材２ａを機械的に保護し、かつ音を透過させる性質を有する板状体で構成されている。具体的には多数の開口を有する金属製の板状体、例えば開口率が４０〜７０％程度で厚さが４ｍｍ程度のステンレス製のパンチングメタル若しくはエキスパンドメタル等で構成されている。ここで、板状体の開口率を４０〜７０％としたのは、開口率が４０％未満では音が十分に透過せず、また、開口率が７０％を超えると板状体の全体的な機械的強度が弱くなり、低周波吸音材２ａの保護が不十分となるからである。
【００４７】
シート４は、例えば保温性がよく、弾力性に富み、かつ難燃性のもの、具体的にはファブリック製のカーペット等で構成されている。
【００４８】
低周波吸音材２ａとしては、１００Ｈｚ乃至２００Ｈｚの低周波領域において優れた吸音特性を発揮する材料、具体的には、補強層３の下面側に配置される多孔質体層（以下「第１の多孔質体層」という。）２１と、第１の多孔質体層２１の下面側に積層される発泡体層２２と、発泡体層２２の下面側に積層される他の多孔質体層（以下「第２の多孔質体層」という。）２３とを備えている。
【００４９】
ここで、発泡体層２２としては、連続気泡発泡を有する発泡体が用いられる。これは音波が発泡体層２２に入射した場合、間隙部分の空気が振動し、この空気の粘性抵抗によって音波のエネルギーが熱エネルギーに変換されて吸音が行われるとともに、制振性も有しているために発泡体層２２自身が振動し、この時の粘性抵抗によって音波のエネルギーが熱エネルギーに変換されて吸音が行われるためである。また、発泡体層２２の両面に、第１、第２の多孔質体層２１、２３を積層するのは、発泡体層２２部分が付加質量、すなわち錘の役割として作用し、多孔質体層部分がバネ、すなわち空気バネの役割として作用し、膜振動による吸音を行わせるためである。
【００５０】
発泡体層２２は、具体的には次のような発泡体で形成されている。
【００５１】
第１に、発泡体は、分子量５００〜５０００の第１のジオール、分子量５００以下の第２のジオール、無機充填材、発泡剤としての水、およびイソシアネートの各成分を含有するものから成り、特に主ポリマーである第１のジオールを分子量５００〜５０００、好ましくは分子量１０００〜２０００のジオールとすることにより制振性を付加した発泡体を得ることができる。ここで、この主ポリマーを分子量５００未満のジオールで構成すると、硬い発泡体となり、制振性が得られず、また、分子量が５０００を超えるジオールで構成すると、初期粘度が高くなり、所要の発泡体が得られなくなる。なお、主ポリマーとして、トリオールや本発明に用いるジオール以外のポリオールを使用した場合には、制振性を得ることが困難になる。
【００５２】
第２に、発泡体の密度は、５０〜５００ｋｇ／ｍ３の範囲にあることが好ましい。密度が５０ｋｇ／ｍ３未満では通気性が良くなり過ぎて、低周波数領域の吸音効率が悪くなり、５００ｋｇ／ｍ３を超えると反対に通気性が悪くなり過ぎて、音が反射し吸音が困難になるからである。
【００５３】
第３に、発泡体を構成する第１のジオールとしては、ポリエステルポリオール、ポリエーテルポリオール、ポリブタジエンポリオール、ポリイソプレンポリオール、ポリオレフィンポリオール、ポリアクリル酸エステル系ポリオール、ポリカーボネート系ポリオールなどが好適する。
【００５４】
第４に、発泡体を構成する第２のジオールは、本発明の発泡体層２２の鎖延長剤として使用され、補強の役割を果たす。ここで、分子量が５００以下としたのは、分子量が５００を超えると補強効果が得られなくなるからである。また、この成分をトリオールや本発明に用いるジオール以外のポリオールにした場合は補強効果が大きくなり過ぎ、制振性を損なってしまう。
【００５５】
第５に、発泡体を構成する第２のジオールとしては、エチレングリコール、プロピレングリコール、ブタンジオール、ヘキサンジオール、オクタンジオール、デカンジオール等の脂肪族系若しくはＮ，Ｎ−ビス（２−ヒドロキシプロピル）アニリン等の芳香族系のジオールなどが好適する。
【００５６】
ここで、発泡体に用いられる第１のジオールに含まれる水酸基含量と第２のジオールに含まれる水酸基含量との比は１：０．３〜２．５が好ましい。第２のジオールの水酸基含量の比が０．３未満になると補強効果が不十分になり、水酸基含量の比が２．５を超えても効果に差異が見られないからである。
【００５７】
第６に、発泡体を構成する無機充填剤は、発泡体層を補強し、制振性を付加する目的で使用される。この無機充填剤は、分子量５００〜５０００の第１のジオール１００重量部に対して１０〜２００重量部配合することが好ましい。１０重量部未満では充分な補強や制振性の付加を行うには効果が小さく、２００重量部を超えると成型前の組成物の粘度が高くなり成型が困難になるからである。
【００５８】
第７に、発泡体を構成する無機充填剤としては、カーボンブラック、シリカ、炭酸カルシウム、マイカ、タルク、酸化マグネシウム、酸化アルミニウム、水酸化マグネシウム、水酸化アルミニウムなどが好適である。
【００５９】
第８に、発泡体を構成する水は、発泡剤として用いられる。発泡剤の添加量は、発泡体が得られる量であればよいが、分子量５００〜５０００の第１のジオール１００重量部に対して２〜５重量部が好適である。２重量部未満では充分な発泡が行われず、５重量部を超えても効果に大きな差異が見られないからである。
【００６０】
第９に、発泡体を構成するイソシアネートは、基本的にはウレタン発泡体の製造に使用されるものを用いることができるが、特に２，４−トリレンジイソシアネート、２，６−トリレンジイソシアネート、４，４’ジフェニルメタンジイソシアネート、カルボジイミド変性ジフェニルメタンジイソシアネート、粗製トリレンジイソシアネート、粗製ジフェニルメタンジイソシアネート、ｐ−フェニレンジイソシアネート、ｐ−キシレンジイソシアネート、テトラメチレン−１，４−ジイソシアネートなどが好適し、これらのイソシアネートを単独若しくは混合して使用することができる。
【００６１】
第１０に、発泡体に適度な剛性と制振性を付与するためには、第１のジオール、第２のジオール、および発泡剤としての水の水酸基含量の合計と、イソシアネートのイソシアネート含量の比であるイソシアネートインデックス（ＮＣＯ／ＯＨ）が、０．５〜１．０、好ましくは０．６〜０．９の範囲にあることが望ましい。イソシアネートインデックスが０．５未満では架橋度が少なくなって剛性が低下し、１．０を超えると適度な剛性は得られるものの制振性が低下するからである。
【００６２】
第１１に、上記の発泡体には、通常のウレタン発泡体層の製造に使用される触媒、製泡剤、難燃剤、可塑剤、着色剤等を目的に応じて適宜添加してもよい。
【００６３】
次に、第１、第２の多孔質体層２１、２３は、それぞれ同様の構成とされ、具体的にはそれぞれ次のようなもの形成されている。
【００６４】
第１に、第１、第２の多孔質体層２１、２３は、グラスウール若しくはロックウールのどちらか一方若しくはこれらの組み合わせたもので形成されている。具体的には、グラスウール若しくはロックウールを同種同士若しくは異種同士を積層したもので形成されている。
【００６５】
第２に、第１、第２の多孔質体層２１、２３は、損失係数ηが０．０５以上、通気量が０．１ｄｍ３／ｓ以上、厚さが１〜５０mm、望ましくは１０〜２５mmのもので形成されている。このような構成の第１、第２の多孔質体層２１、２３においては、低周波数領域から高周波数領域までの広範囲に亘って吸音特性が優れており、また固体伝搬音や振動の低減にも効果的な制振性を発揮する。
【００６６】
第３に、第１、第２の多孔質体層２１、２３は、熱伝導率が０．１〜０．５Ｗ／ｍＫのもので形成されている。また、第１、第２の多孔質体層２１、２３は、基材がウレタンフォーム若しくはウレタンフォーム基材に熱伝導性付与材を配合したもので形成されている。ここで、熱伝導性付与材としては、セラミックス若しくは金属材料からなるものを配合したもの、炭化珪素粉、アルミナ粉、アルミ粉、黒鉛、銅粉、ステンレス粉から選ばれた１種若しくはこれらを２種以上混合したもの、または黒鉛（黒鉛の添加量はウレタンフォームを形成するポリオール１００重量部に対して１０〜１５０重量部である）が用いられる。
【００６７】
このような構成の第１、第２の多孔質体層２１、２３は、エンジン類等の音源に取り付けられ、エンジン類から発生する空気伝搬音、固体伝搬音、振動の低減に効果的な吸音性能を有し、またエンジン類の運転により室内や防音ボックス内の温度が上昇しても多孔質体の温度上昇が抑制でき、劣化が促進されず寿命が長くなる。
【００６８】
図２は、第１の実施の形態における低周波吸音材２ａの吸音特性を示している。ここで、図中、実線Ｌ１は、多孔質体層の厚さを１００ｍｍとした従来の吸音材の吸音特性、実線Ｌ２は、第１の多孔質体層２１の厚さを２５ｍｍ、第２の多孔質体層２３の厚さを７５ｍｍとした本発明の低周波吸音材２ａの吸音特性、破線Ｌ３は多孔質体層をグラスウールで構成し、その厚さを１００ｍｍとした従来の吸音材の吸音特性を示している。同図より、本発明の低周波吸音材（Ｌ２）が１５０Ｈｚ以下の低周波領域のみならず、１５０Ｈｚ以上の高周波領域にわたって、優れた吸音特性を示していることが分かる。従って、第１の実施の形態における低周波吸音材２ａを使用すれば、広帯域の周波数領域に対応可能な吸音材を提供することができる。
【００６９】
次に、このように構成された低周波吸音材２ａを鉄筋コンクリートから成る集合住宅の床面１に設置する方法について説明する。
【００７０】
図１および図３において、先ず、鉄筋コンクリートから成る集合住宅の床面１上に、複数本の金属製のライナー５ａ、５ｂ、５ｃ、・・・、例えば幅が４０ｍｍ、高さが８０ｍｍの角柱のステンレス製のライナーを例えば９１０ｍｍの間隔をおいて平行に布設する。これにより、床面１上に低周波吸音材２ａを布設するための収納溝が形成される。ここで、各ライナー５ａ、５ｂ、５ｃ、・・・の高さ（収納溝の深さ）は、低周波吸音材２ａの厚さと略同程度、若しくはそれより若干高くなるような寸法に設計されている。
【００７１】
次いで、このようにして形成された各収納溝に、多数個（例えば３０個）の、矩形状に形成されたパネル状の低周波吸音材２ａ（例えば縦幅：６０７ｍｍ、横幅：９１０ｍｍ、厚さ７５ｍｍ）を、第２の多孔質体層２３を床面１側に向けてそれぞれ収納する。
【００７２】
次に、各ライナー５ａ、５ｂ、５ｃ、・・・の頂部（図１中上部）間に厚さが２ｍｍ程度で開口率が４０％程度のステンレス製のパンチングメタルから成る補強板３を各低周波吸音材２ａの上面を覆うように載置し、さらに、補強板３の上面にカーペットから成るシート４を載置する。これにより、各低周波吸音材２ａは、ライナー５ａ、５ｂ、５ｃ、・・・によって区画された収納溝および補強板３により機械的に保護されることになる。
【００７３】
図４は、床面に対する吸音構造の施工の有無によるパワーレベルの比較を示している。ここで、比較例は、床面１に吸音構造を適用しない、いわゆる通常の集合住宅の居室のパワーレベルを示しており、実施例は、床面１に、第１の多孔質体層２１の厚さを２５ｍｍ、発泡体層２２の厚さを１ｍｍ、第２の多孔質体層２３の厚さを５０ｍｍとした本発明の低周波吸音材２ａを配置した、第１の実施の形態に係る吸音構造のパワーレベルを示している。なお、騒音レベルはＪＩＳＡ１４０９：１９９８「残響室法吸音率の測定方法」により測定した。
【００７４】
同図より、本実施例における吸音構造は、比較例に対して、居室内の卓越騒音である２００Ｈｚの吸音特性でおよそ３０ｄＢの優位差が認められ、本発明における吸音構造が第１の居室からの第２の居室への騒音防止対策として非常に有効であることが判る。
【００７５】
以上のように、本発明の吸音構造によれば、従来のように、第１の居室の壁体や天井に低周波吸音材を配設しなくても、第１の居室における２００Ｈｚ程度以下の低周波領域の騒音を効果的に吸収することができ、ひいては第１の居室からの第２の居室への騒音を効果的に防止することができる。
［第２の実施の形態］
図５は、本発明における吸音構造の第２の実施の形態を示す断面図である。なお、同図において、図１と共通する部分には同一の符号を付して詳細な説明を省略する。
【００７６】
この実施例においては、図５に示すように、図１に示す低周波吸音材２ａに代えて補強層３の下面側に配置される発泡体層２２と、発泡体層２２の下面側に積層される第２の多孔質体層２３と、発泡体層２２の上面側に形成され、それ自身の上面側に多数個の孔が設けられている被膜面２４とを備えた低周波吸音材２ｂが用いられている。
【００７７】
ここで、被膜面２４の補強層３には、針状部材で被膜面２４と直交する方向に多数個の孔（不図示）が設けられている。
【００７８】
このような被膜面２４への孔の形成により、被膜面２４の通気性が向上し、ひいては、吸音率のピーク周波数を低周波数側へ移動させることができる。
【００７９】
図６は、第２実施の形態における低周波吸音材２ｂの吸音特性を示している。ここで、図中、実線Ｌ４は、被膜面２４に孔を有しない従来の低周波吸音材の吸音特性、破線Ｌ５は、被膜面２５の音源側（補強層３側）に、針状部材によって１ｃｍ２当たり５０個の孔を形成した第２実施の形態における第１の低周波吸音材の吸音特性、実線Ｌ６は、被膜面２４の音源側に、針状部材によって１ｃｍ２当たり２００個の孔を形成した第２実施の形態における第２の低周波吸音材の吸音特性を示している。同図より、本発明の第１、第２の低周波吸音材における吸音率のピーク周波数が低周波数側へ移動していることが分かる。
【００８０】
従って、第２の実施の形態における低周波吸音材を使用すれば、１５０Ｈｚ以下の低周波数領域に対応可能な吸音構造を提供することができる。なお、このような針状部材による孔の形成に代えて、グラインダーにより被膜面２４に摩擦加工を施して、当該表面を粗面化しても、前述の吸音材と同様の効果を奏する。
［第３の実施の形態］
図７は、本発明における吸音構造の第３の実施の形態を示す断面図である。なお、同図において、図１と共通する部分には同一の符号を付して詳細な説明を省略する。
【００８１】
この実施例においては、図７に示すように、図１に示す低周波吸音材２ａに代えて補強層３の下面側に配置される発泡体層２２と、発泡体層２２の下面側に積層される第２の多孔質体層２３と、発泡体層２２の上面側に接着される被膜層２５とを備えた低周波吸音材２ｃが用いられている。
【００８２】
ここで、被膜層２５は、発泡体層２２と第２の多孔質体層２３とが一体で形成されるのに対し、別体で形成されている。これは、製品形態の自由度を向上させるためである。
【００８３】
図８は、第３実施の形態における吸音材の吸音特性を示している。ここで、図中、実線Ｌ７は、第２の多孔質体層（ガラスウール）２３の厚さを５０ｍｍとした従来の第１の吸音材の吸音特性、破線Ｌ８は、第２の多孔質体層（ガラスウール）２３の厚さを１００ｍｍとし、発泡体層２２の上面側に被膜層２５を一体で成形した従来の第２の吸音材の吸音特性、実線Ｌ９は、第２の多孔質体層（ガラスウール）２３の厚さを５０ｍｍとし、発泡体層２２の上面側に別体の被膜層２５を接着させた本発明の第１の低周波吸音材の吸音特性、破線Ｌ１０は、第２の多孔質体層（ガラスウール）２３の厚さを１００ｍｍとし、発泡体層２２の上面側に別体の被膜層２５を接着させた本発明の第２の低周波吸音材の吸音特性を示している。同図より、本発明の第１、第２の低周波吸音材は、従来の第１、第２の低周波吸音材と同様の吸音特性を示していることがわかる。従って、第３の実施の形態における低周波吸音材を使用すれば、要求される吸音特性や施工方法に応じて、発泡体層２２の補強層側に別体の被膜層２５を接着させることで対処することができ、ひいては製品形態の自由度を向上させることができる。なお、被膜層２５は発泡体層２２に接着させたものに限定されず、被膜層２５を発泡体層２２に当接（接触）させてもよい。
［第４の実施の形態］
図９は、本発明における吸音構造の第４の実施の形態を示す断面図である。なお、同図において、図１と共通する部分には同一の符号を付して詳細な説明を省略する。
【００８４】
図９において、この実施例においては、図１に示す低周波吸音材２ａに代えて薄厚の低周波吸音材２ａ´が用いられている。
【００８５】
すなわち、この実施例における低周波吸音材２ａ´は、発泡体層２２の下面側に図１に示す第２の多孔質体層２３よりも厚さを薄く形成した薄厚の第２の多孔質体層２３´が積層されており、当該薄厚の第２の多孔質体層２３´が空気層６を介して床面１と平行に配置されている。
【００８６】
この実施例においては、第１の実施例と比較すれば多孔質体層の厚さを薄く形成した分だけ若干吸音特性が低下するものの、床面１と第２の多孔質体層２３´間にいわゆる背後空気層を存在させることで、全体として吸音構造の軽量化および低コスト化を図ることができる。従って、この実施例を軽量化を目指す自動車等の移動体に適用した場合には、移動体自身の重量アップを抑えつつ移動体の周囲の騒音を効果的に吸収することができる。
［第５の実施の形態］
図１０は、本発明における吸音構造の第５の実施の形態を示す断面図である。なお、同図において、図５および図９と共通する部分には同一の符号を付して詳細な説明を省略する。
【００８７】
図１０において、この実施例においては、図５に示す低周波吸音材２ｂに代えて薄厚の低周波吸音材２ｂ´が用いられている。
【００８８】
すなわち、この実施例における低周波吸音材２ｂ´は、発泡体層２２の下面側に図５に示す第２の多孔質体層２３よりも厚さを薄く形成した薄厚の第２の多孔質体層２３´が積層されており、当該薄厚の第２の多孔質体層２３´が空気層６を介して床面１と平行に配置されている。
【００８９】
この実施例においても、第２の実施例と比較すれば多孔質体層の厚さを薄く形成した分だけ若干吸音特性が低下するものの、床面１と第２の多孔質体層２３´間にいわゆる背後空気層を存在させることで、全体として吸音構造の軽量化および低コスト化を図ることができる。従って、この実施例においても、軽量化を目指す自動車等の移動体に適用した場合には、移動体自身の重量アップを抑えつつ移動体の周囲の騒音を効果的に吸収することができる。
［第６の実施の形態］
図１１は、本発明における吸音構造の第６の実施の形態を示す断面図である。なお、同図において、図７および図９と共通する部分には同一の符号を付して詳細な説明を省略する。
【００９０】
図１１において、この実施例においては、図５に示す低周波吸音材２ｃに代えて薄厚の低周波吸音材２ｃ´が用いられている。
【００９１】
すなわち、この実施例における低周波吸音材２ｃ´は、発泡体層２２の下面側に図７に示す第２の多孔質体層２３よりも厚さを薄く形成した薄厚の第２の多孔質体層２３´が積層されており、当該薄厚の第２の多孔質体層２３´が空気層６を介して床面１と平行に配置されている。
【００９２】
この実施例においても、第３の実施例と比較すれば多孔質体層の厚さを薄く形成した分だけ若干吸音特性が低下するものの、床面１と第２の多孔質体層２３´間にいわゆる背後空気層を存在させることで、全体として吸音構造の軽量化および低コスト化を図ることができる。従って、この実施例においても、軽量化を目指す自動車等の移動体に適用した場合には、移動体自身の重量アップを抑えつつ移動体の周囲の騒音を効果的に吸収することができる。
【産業上の利用可能性】
【００９３】
前述の実施例においては、図面に示した特定の実施の形態をもって本発明を説明しているが、本発明はこれらの実施の形態に限定されるものではなく、本発明の効果を奏する限り、次のように構成してもよい。
【００９４】
第１に、前述の実施例においては、剛壁としての性能を有する鉄筋コンクリートから成る集合住宅の床面１に適用した場合について述べているが、床面１が剛壁としての性能を有しない場合には、低周波吸音材の背面側にすなわち床面１上に背後剛壁層（例えば厚さ２ｍｍ程度の鋼板、若しくは厚さが５ｍｍ程度のアルミニウム板）を布設する必要がある。
【００９５】
第２に、前述の実施例においては、鉄筋コンクリートから成る集合住宅の床面に適用した場合について述べているが、オフィスのフリーアクセスフロア、シアターの床面、エレベータの床面、自動車の床面（フロアパン）等に適用しても、周囲の騒音を効果的に吸収することができる。
【００９６】
第３に、前述の実施例においては、発泡体層２２として、発泡密度が均一な単一の発泡体層について述べているが、次のような構成のもの、例えば、第１に、内部に連続気泡を有する発泡体であって、音源側の表面に薄膜層を発泡体と一体成型して配置されているもの、第２に、例えば厚さ１ｍｍ以下の薄膜層が音源側および剛壁側双方の発泡体と一体成型して配置されているもの、第３に、連続気泡発泡体の発泡密度が厚さ方向に傾斜的に異なっているもの、第４に、異なる複数の連続気泡発泡体を発泡密度が傾斜的に配置されるように積層されたもの、第５に、連続気泡発泡体の発泡密度が音源側で高密度となるようにしたもの、第６に、連続気泡発泡体として粘弾性体からなるものを用いてもよい。
【図面の簡単な説明】
【００９７】
【図１】本発明における吸音構造の第１の実施の形態を示す断面図。
【図２】本発明の第１の実施の形態に係る低周波吸音材の吸音特性を示す説明図。
【図３】本発明の第１の実施の形態に係る低周波吸音材の設置状況を示す説明図。
【図４】本発明の第１の実施の形態に係る吸音構造のパワーレベルと周波数との関係を示す説明図。
【図５】本発明における吸音構造の第２の実施の形態を示す断面図。
【図６】本発明の第２の実施の形態に係る低周波吸音材の吸音特性を示す説明図。
【図７】本発明における吸音構造の第３の実施の形態を示す断面図。
【図８】本発明の第３の実施の形態に係る低周波吸音材の吸音特性を示す説明図。
【図９】本発明における吸音構造の第４の実施の形態を示す断面図。
【図１０】本発明における吸音構造の第５の実施の形態を示す断面図。
【図１１】本発明における吸音構造の第６の実施の形態を示す断面図。
【符号の説明】
【００９８】
１・・・床面
２ａ、２ｂ、２ｃ、２ｄ、２ｅ、２ｆ・・・低周波吸音材
２１・・・第１の多孔質体層（多孔質体層）
２２・・・発泡体層
２３・・・第２の多孔質体層（他の多孔質体層）
２４・・・被膜面
２５・・・被膜層
３・・・補強層
４・・・シート
５ａ、５ｂ、５ｃ・・・ライナー
【図１】
2007133245.tif 000003
【図２】
2007133245.tif 000004
【図３】
2007133245.tif 000005
【図４】
2007133245.tif 000006
【図５】
2007133245.tif 000007
【図６】
2007133245.tif 000008
【図７】
2007133245.tif 000009
【図８】
2007133245.tif 000010
【図９】
2007133245.tif 000011
【図１０】
2007133245.tif 000012
【図１１】
2007133245.tif 000013